【手続補正書】
【提出日】平成30年6月12日(2018.6.12)
【手続補正１】
【補正対象書類名】特許請求の範囲
【補正対象項目名】全文
【補正方法】変更
【補正の内容】
【特許請求の範囲】
【請求項１】
ぼけ画像から推定するぼけの種類を決定する決定手段と、
前記ぼけ画像における少なくとも一部のぼけ推定領域を取得し、該ぼけ推定領域から推定ぼけを生成する生成手段と、を有し、
前記生成手段は、
ぼけの推定処理と、該ぼけを用いた前記ぼけ推定領域における信号に関する情報の補正処理と、を繰り返して前記推定ぼけを生成し、
前記ぼけの種類に応じて、前記ぼけ推定領域の取得処理もしくは前記推定処理、または、該取得処理もしくは該推定処理に用いられるパラメータの少なくとも一つを変更する、ことを特徴とする画像処理装置。
【請求項２】
ぼけ画像から推定するぼけの種類を決定する決定手段と、
前記ぼけ画像における少なくとも一部のぼけ推定領域を取得し、該ぼけ推定領域から推定ぼけを生成する生成手段と、を有し、
前記生成手段は、
ぼけの推定処理と、該ぼけを用いた前記ぼけ推定領域における信号に関する情報の補正処理と、を繰り返して前記推定ぼけを生成し、
前記推定ぼけに対するデノイジング処理を行い、
前記ぼけの種類に応じて、前記ぼけ推定領域の取得処理、前記推定処理、もしくは、前記デノイジング処理、または、該取得処理、該推定処理、もしくは、該デノイジング処理に用いられるパラメータの少なくとも一つを変更する、ことを特徴とする画像処理装置。
【請求項３】
前記信号に関する情報は、前記ぼけ推定領域における輝度分布または該輝度分布の微分値に関する情報であることを特徴とする請求項１または２に記載の画像処理装置。
【請求項４】
前記決定手段は、前記ぼけ画像の周波数特性または該ぼけ画像を撮影した際の撮影条件に基づいて、前記ぼけの種類を決定することを特徴とする請求項１乃至３のいずれか１項に記載の画像処理装置。
【請求項５】
前記決定手段は、前記ぼけ画像を用いて、前記ぼけの種類を自動的に決定するか、または、ユーザが該ぼけの種類を手動で決定する際のアシストを行うことを特徴とする請求項１乃至４のいずれか１項に記載の画像処理装置。
【請求項６】
前記ぼけの種類は、光学系の収差、回折、デフォーカス、ぶれ、および、擾乱の少なくとも一つを含むことを特徴とする請求項１乃至５のいずれか１項に記載の画像処理装置。
【請求項７】
前記生成手段は、前記ぼけの推定処理を行う際に、該ぼけの種類を反映した制限を加えることを特徴とする請求項１乃至６のいずれか１項に記載の画像処理装置。
【請求項８】
前記生成手段は、
前記ぼけ推定領域の解像度を低下させ、該解像度が低下したぼけ推定領域に対して、前記推定処理と前記補正処理とを行い、
前記推定処理と前記補正処理とを繰り返しながら、前記ぼけ推定領域の解像度を低下させる度合いを小さくしていく、ことを特徴とする請求項１乃至７のいずれか１項に記載の画像処理装置。
【請求項９】
前記生成手段は、
前記ぼけ推定領域に含まれるノイズ量を取得し、
前記ぼけ推定領域を周波数分解して周波数分解ぼけ推定領域を生成し、
前記ノイズ量に基づいて、前記周波数分解ぼけ推定領域に対するデノイジングを行い、該デノイジングを行った後の周波数分解ぼけ推定領域を再合成する、ことを特徴とする請求項１乃至８のいずれか１項に記載の画像処理装置。
【請求項１０】
前記推定ぼけを用いて前記ぼけ画像の少なくとも一部を補正する補正手段を更に有することを特徴とする請求項１乃至９のいずれか１項に記載の画像処理装置。
【請求項１１】
光学系を介して形成された光学像を光電変換して画像信号を出力する撮像素子と、
前記画像信号に基づいて生成されたぼけ画像から、推定するぼけの種類を決定する決定手段と、
前記ぼけ画像における少なくとも一部のぼけ推定領域を取得し、該ぼけ推定領域から推定ぼけを生成する生成手段と、を有し、
前記生成手段は、
ぼけの推定処理と、該ぼけを用いた前記ぼけ推定領域における信号に関する情報の補正処理と、を繰り返して前記推定ぼけを生成し、
前記ぼけの種類に応じて、前記ぼけ推定領域の取得処理もしくは前記推定処理、または、該取得処理もしくは該推定処理に用いられるパラメータの少なくとも一つを変更する、ことを特徴とする撮像装置。
【請求項１２】
光学系を介して形成された光学像を光電変換して画像信号を出力する撮像素子と、
前記画像信号に基づいて生成されたぼけ画像から、推定するぼけの種類を決定する決定手段と、
前記ぼけ画像における少なくとも一部のぼけ推定領域を取得し、該ぼけ推定領域から推定ぼけを生成する生成手段と、を有し、
前記生成手段は、
ぼけの推定処理と、該ぼけを用いた前記ぼけ推定領域における信号に関する情報の補正処理と、を繰り返して前記推定ぼけを生成し、
前記推定ぼけに対するデノイジング処理を行い、
前記ぼけの種類に応じて、前記ぼけ推定領域の取得処理、前記推定処理、もしくは、前記デノイジング処理、または、該取得処理、該推定処理、もしくは、該デノイジング処理に用いられるパラメータの少なくとも一つを変更する、ことを特徴とする撮像装置。
【請求項１３】
ぼけ画像から推定するぼけの種類を決定するステップと、
前記ぼけ画像における少なくとも一部のぼけ推定領域を取得し、該ぼけ推定領域から推定ぼけを生成するステップと、を有し、
前記推定ぼけを生成するステップにおいて、
ぼけの推定処理と、該ぼけを用いた前記ぼけ推定領域における信号に関する情報の補正処理と、を繰り返して前記推定ぼけを生成し、
前記ぼけの種類に応じて、前記ぼけ推定領域の取得処理もしくは前記推定処理、または、該取得処理もしくは該推定処理に用いられるパラメータの少なくとも一つを変更する、ことを特徴とする画像処理方法。
【請求項１４】
ぼけ画像から推定するぼけの種類を決定するステップと、
前記ぼけ画像における少なくとも一部のぼけ推定領域を取得し、該ぼけ推定領域から推定ぼけを生成するステップと、を有し、
前記推定ぼけを生成するステップにおいて、
ぼけの推定処理と、該ぼけを用いた前記ぼけ推定領域における信号に関する情報の補正処理と、を繰り返して前記推定ぼけを生成し、
前記推定ぼけに対するデノイジング処理を行い、
前記ぼけの種類に応じて、前記ぼけ推定領域の取得処理、前記推定処理、もしくは、前記デノイジング処理、または、該取得処理、該推定処理、もしくは、該デノイジング処理に用いられるパラメータの少なくとも一つを変更する、ことを特徴とする画像処理方法。
【請求項１５】
ぼけ画像から推定するぼけの種類を決定するステップと、
前記ぼけ画像における少なくとも一部のぼけ推定領域を取得し、該ぼけ推定領域から推定ぼけを生成するステップと、をコンピュータに実行させるように構成された画像処理プログラムであって、
前記推定ぼけを生成するステップにおいて、
ぼけの推定処理と、該ぼけを用いた前記ぼけ推定領域における信号に関する情報の補正処理と、を繰り返して前記推定ぼけを生成し、
前記ぼけの種類に応じて、前記ぼけ推定領域の取得処理もしくは前記推定処理、または、該取得処理もしくは該推定処理に用いられるパラメータの少なくとも一つを変更する、ことを特徴とする画像処理プログラム。
【請求項１６】
ぼけ画像から推定するぼけの種類を決定するステップと、
前記ぼけ画像における少なくとも一部のぼけ推定領域を取得し、該ぼけ推定領域から推定ぼけを生成するステップと、をコンピュータに実行させるように構成された画像処理プログラムであって、
前記推定ぼけを生成するステップにおいて、
ぼけの推定処理と、該ぼけを用いた前記ぼけ推定領域における信号に関する情報の補正処理と、を繰り返して前記推定ぼけを生成し、
前記推定ぼけに対するデノイジング処理を行い、
前記ぼけの種類に応じて、前記ぼけ推定領域の取得処理、前記推定処理、もしくは、前記デノイジング処理、または、該取得処理、該推定処理、もしくは、該デノイジング処理に用いられるパラメータの少なくとも一つを変更する、ことを特徴とする画像処理プログラム。
【請求項１７】
請求項１５または１６に記載の画像処理プログラムを記憶していることを特徴とする記憶媒体。
【手続補正２】
【補正対象書類名】明細書
【補正対象項目名】０００９
【補正方法】変更
【補正の内容】
【０００９】
本発明の一側面としての画像処理装置は、ぼけ画像から推定するぼけの種類を決定する決定手段と、前記ぼけ画像における少なくとも一部のぼけ推定領域を取得し、該ぼけ推定領域から推定ぼけを生成する生成手段とを有し、前記生成手段は、ぼけの推定処理と、該ぼけを用いた前記ぼけ推定領域における信号に関する情報の補正処理と、を繰り返して前記推定ぼけを生成し、前記ぼけの種類に応じて、前記ぼけ推定領域の取得処理もしくは前記推定処理、または、該取得処理もしくは該推定処理に用いられるパラメータの少なくとも一つを変更する。
【手続補正３】
【補正対象書類名】明細書
【補正対象項目名】００１０
【補正方法】変更
【補正の内容】
【００１０】
本発明の他の側面としての画像処理装置は、ぼけ画像から推定するぼけの種類を決定する決定手段と、前記ぼけ画像における少なくとも一部のぼけ推定領域を取得し、該ぼけ推定領域から推定ぼけを生成する生成手段とを有し、前記生成手段は、ぼけの推定処理と、該ぼけを用いた前記ぼけ推定領域における信号に関する情報の補正処理と、を繰り返して前記推定ぼけを生成し、前記推定ぼけに対するデノイジング処理を行い、前記ぼけの種類に応じて、前記ぼけ推定領域の取得処理、前記推定処理、もしくは、前記デノイジング処理、または、該取得処理、該推定処理、もしくは、該デノイジング処理に用いられるパラメータの少なくとも一つを変更する。
【手続補正４】
【補正対象書類名】明細書
【補正対象項目名】００１１
【補正方法】変更
【補正の内容】
【００１１】
本発明の他の側面としての撮像装置は、光学系を介して形成された光学像を光電変換して画像信号を出力する撮像素子と、前記画像信号に基づいて生成されたぼけ画像から、推定するぼけの種類を決定する決定手段と、前記ぼけ画像における少なくとも一部のぼけ推定領域を取得し、該ぼけ推定領域から推定ぼけを生成する生成手段とを有し、前記生成手段は、ぼけの推定処理と、該ぼけを用いた前記ぼけ推定領域における信号に関する情報の補正処理と、を繰り返して前記推定ぼけを生成し、前記ぼけの種類に応じて、前記ぼけ推定領域の取得処理もしくは前記推定処理、または、該取得処理もしくは該推定処理に用いられるパラメータの少なくとも一つを変更する。
【手続補正５】
【補正対象書類名】明細書
【補正対象項目名】００１２
【補正方法】変更
【補正の内容】
【００１２】
本発明の他の側面としての撮像装置は、光学系を介して形成された光学像を光電変換して画像信号を出力する撮像素子と、前記画像信号に基づいて生成されたぼけ画像から、推定するぼけの種類を決定する決定手段と、前記ぼけ画像における少なくとも一部のぼけ推定領域を取得し、該ぼけ推定領域から推定ぼけを生成する生成手段とを有し、前記生成手段は、ぼけの推定処理と、該ぼけを用いた前記ぼけ推定領域における信号に関する情報の補正処理と、を繰り返して前記推定ぼけを生成し、前記推定ぼけに対するデノイジング処理を行い、前記ぼけの種類に応じて、前記ぼけ推定領域の取得処理、前記推定処理、もしくは、前記デノイジング処理、または、該取得処理、該推定処理、もしくは、該デノイジング処理に用いられるパラメータの少なくとも一つを変更する。
【手続補正６】
【補正対象書類名】明細書
【補正対象項目名】００１３
【補正方法】変更
【補正の内容】
【００１３】
本発明の他の側面としての画像処理方法は、ぼけ画像から推定するぼけの種類を決定するステップと、前記ぼけ画像における少なくとも一部のぼけ推定領域を取得し、該ぼけ推定領域から推定ぼけを生成するステップとを有し、前記推定ぼけを生成するステップにおいて、ぼけの推定処理と、該ぼけを用いた前記ぼけ推定領域における信号に関する情報の補正処理と、を繰り返して前記推定ぼけを生成し、前記ぼけの種類に応じて、前記ぼけ推定領域の取得処理もしくは前記推定処理、または、該取得処理もしくは該推定処理に用いられるパラメータの少なくとも一つを変更する。
【手続補正７】
【補正対象書類名】明細書
【補正対象項目名】００１４
【補正方法】変更
【補正の内容】
【００１４】
本発明の他の側面としての画像処理方法は、ぼけ画像から推定するぼけの種類を決定するステップと、前記ぼけ画像における少なくとも一部のぼけ推定領域を取得し、該ぼけ推定領域から推定ぼけを生成するステップとを有し、前記推定ぼけを生成するステップにおいて、ぼけの推定処理と、該ぼけを用いた前記ぼけ推定領域における信号に関する情報の補正処理と、を繰り返して前記推定ぼけを生成し、前記推定ぼけに対するデノイジング処理を行い、前記ぼけの種類に応じて、前記ぼけ推定領域の取得処理、前記推定処理、もしくは、前記デノイジング処理、または、該取得処理、該推定処理、もしくは、該デノイジング処理に用いられるパラメータの少なくとも一つを変更する。